(57)【特許請求の範囲】
【請求項１】
中央光軸32を含み、遠見視力矯正の基準屈折力を有する眼用レンズ13であって、
当該眼用レンズ13は、最大視力矯正屈折力を有し、かつ基準屈折力よりも大きい実質的に一定の視力矯正屈折力を有する内側部54と、この内側部54の外方に位置する外側部56,58とを含む近見領域20を含んでなり、
外側部は、近見領域20の最大視力矯正屈折力から、この最大視力矯正屈折力の50〜85％に相当する減少した近見視力矯正屈折力まで漸進的に減少するような視力矯正屈折力を有し、
内側部54は、眼用レンズ13が中央光軸32に対しより接近した径方向位置で実質的に一定の視力矯正屈折力を有するような最も内側の端部52を有し、
外側部は、最も外側の端部58を有し、
内側部および外側部は、各々、径方向幅を有し、
内側部の径方向幅は、内側部の最も内側の端部と、外側部の最も外側の端部との間の径方向距離の30〜85％に相当する
ことを特徴とする眼用レンズ。
【請求項２】
当該眼用レンズは、さらに、近見領域20よりも外方に位置する付加的近見領域22であって、基準屈折力よりも大きい視力矯正屈折力を有する付加的近見領域22を備える請求項1記載の眼用レンズ。
【請求項３】
近見領域20および付加的近見領域22は、各々、径方向幅を有し、
付加的近見領域の径方向幅は、近見領域の径方向幅の40％よりも小さい請求項2記載の眼用レンズ。
【請求項４】
付加的近見領域22は、内側端部68および外側端部72を有する中央部70を含み、かつ、内側端部から外側端部まで漸進的に増加するような視力矯正屈折力を有する請求項2記載の眼用レンズ。
【請求項５】
当該眼用レンズは、眼内レンズ11、コンタクトレンズ111および角膜インプラントレンズからなる群から選ばれる請求項1記載の眼用レンズ。
【請求項６】
近見領域20は、環状の形態を有し、当該眼用レンズは、基準屈折力よりも大きい視力矯正屈折力を有する中央領域18を備え、
この近見領域は、中央領域に対し外接する請求項1記載の眼用レンズ。
【請求項７】
近見領域20および付加的近見領域22は、環状の形態を有し、
付加的近見領域は、近見領域に対し外接する請求項2記載の眼用レンズ。
【請求項８】
遠見視力矯正の基準屈折力を有する眼用レンズ13であって、
当該眼用レンズは、
(a)  内側部54を含む近見領域20を含んでなり、
該近見領域20は、基準屈折力よりも大きい一定の視力矯正屈折力を有するプラトー領域54を有し、
該近見領域20はまた、該プラトー領域54の外側端部56と該近見領域20の周縁部40との間にあって、屈折力が連続的および漸進的に減少する領域を有し、
該近見領域20を通過する光によって引き起こされる虹輪視の認識寸法または知覚寸法が、該屈折力が連続的および漸進的に減少する領域の無い近見領域20Aを通過する光によって引き起こされる虹輪視の認識寸法または知覚寸法よりも小さく、
(b)  当該眼用レンズはまた、付加的近見領域22を含んでなり、
この付加的近見領域は、近見領域20よりも外方に位置し、かつ、基準屈折力よりも大きい視力矯正屈折力を有し、
近見領域20および付加的近見領域22は、各々、径方向幅を有し、
付加的近見領域の径方向幅は、近見領域の径方向幅の40％よりも小さい
ことを特徴とする眼用レンズ。
【請求項９】
付加的近見領域22は、この付加的近見領域への光通過によって引き起こされる虹輪視を、同様な付加的近見領域が当該領域全体にわたって一定の視力矯正屈折力を有するような同じレンズの同様な付加的近見領域への光通過によって引き起こされる虹輪視に比し、より拡散しうるような視力矯正屈折力を有する請求項8記載の眼用レンズ。
【請求項１０】
付加的近見領域22は、内側端部68および外側端部72を有する中央部70を含み、かつ、内側端部から外側端部まで漸進的に増加するような視力矯正屈折力を有する請求項8記載の眼用レンズ。
【請求項１１】
当該眼用レンズは、眼内レンズ11、コンタクトレンズ111および角膜インプラントレンズからなる群から選ばれる請求項8記載の眼用レンズ。
【請求項１２】
近見領域20は、環状の形態を有し、当該眼用レンズは、基準屈折力よりも大きい視力矯正屈折力を有する中央領域18を備え、
この近見領域は、中央領域に対し外接する請求項8記載の眼用レンズ。
【請求項１３】
近見領域20および付加的近見領域22は、環状の形態を有し、
付加的近見領域は、近見領域に対し外接する請求項8記載の眼用レンズ。
【発明の詳細な説明】
【０００１】
（技術分野）
本発明は、眼用レンズに関する。特に、本発明は、眼内レンズやコンタクトレンズや角膜インプラントレンズなどのような、眼の内部や表面において使用される多重焦点眼用レンズに関する。
【０００２】
（背景技術）
眼用多重焦点レンズの一般的な構造は、先行文献に開示されている。米国特許第5,225,858号（Portney）は、多数の同心状環状領域によって包囲された中央領域を含む眼用多重焦点レンズを開示する（この米国特許の開示をもって本明細書の記載とする）。この特許は、良好な画像品質および近見物体の光度を有する多重焦点レンズを開示する。この特許の多重焦点レンズは、近見視力視力矯正屈折力を有する領域を有し、この領域では、視力矯正屈折力（レンズパワー）を実質的に一定に維持している。
【０００３】
このタイプの多重焦点レンズは、視力矯正に非常に有効であるが、さらなる改善によって利点が得られる。
【０００４】
例えば、かかる多重焦点レンズは、代表的な夜間での２つの視覚的症状、すなわち「眩しさ」または「フレア」と呼ばれる症状や、「虹輪視」と呼ばれる症状を被る。「眩しさ」または「フレア」症状は、夜間において、遠方の小さい発光物体から放射する放射線として現れる。「虹輪視」症状は、一般に、同様に夜間において、遠方の小さい発光物体周囲の拡散陰影として現れる。これらの視覚的症状は、レンズの近見領域などの領域を通過する光線が、焦点外となることが原因のようである。
【０００５】
（発明の開示）
本発明は、以上の症状を改善する新規眼用レンズを開示する。本発明は、多重焦点レンズ表面を変形させると、前記した夜間での視覚的症状のうち、少なくとも1またはそれ以上の知覚症状を減少させる利点が得られるとの、知見に基づくものである。本発明の上記変形は、レンズ製造のコスト並びに困難性を増加させることなく、著しく都合よくかつ有効に提供することができる。本発明のレンズは、好適には、夜間に遠方の物体を見た際に現れるうるような、大きい虹輪視の寸法を減少させることができる。加えて、本発明のレンズ中央領域は、好適には、基準屈折力を越える視力矯正屈折力が、レンズの中心方向に変化するように変形させ、これにより、近見画像性能を向上させる光線密度を増加させることができる。簡潔に言えば、本発明は、多重焦点レンズを変形させることによって、これまでに有効であった多重焦点眼用レンズに対し、付加的な利点を提供することができる。
【０００６】
本発明の広範な一態様によれば、本発明は、遠見視力矯正の基準屈折力を有する眼用レンズを提供する。当該眼用レンズは、内側部を含む近見領域（好適には環状近見領域）を含んでなり、この内側部は、基準屈折力よりも大きい実質的に一定の視力矯正屈折力を有し、かつ、上記近見領域への光通過によって引き起こされる虹輪視の寸法（すなわち、認識または知覚される寸法）を、同様な近見領域が当該領域全体にわたって一定の視力矯正屈折力を有するような実質的に同じレンズの同様な近見領域への光通過によって引き起こされる虹輪視の寸法に比し減少させるような、基準屈折力よりも大きい視力矯正屈折力を有することを特徴とする。
【０００７】
好適には、近見領域は、最大視力矯正屈折力（これは、内側部の実質的に一定の視力矯正屈折力であってよい）を有し、かつ内側部よりも外方に位置する外側部を含む。この外側部は、近見領域の最大視力矯正屈折力から、この最大視力矯正屈折力の約50〜約85％に相当する減少した近見視力矯正屈折力まで漸進的に減少するような視力矯正屈折力を有する。内側部は、最も内側の端部を有し、外側部は、最も外側の端部を有する。内側部の径方向幅は、より好適には、内側部の最も内側の端部と、外側部の最も外側の端部との間の径方向距離の約30〜約85％に相当する。
【０００８】
本発明によれば、以下の作用理論に限定されるものではないが、近見領域の外側部の視力矯正屈折力を減少させることによって、例えば、夜間における遠方に見える小さい光源周囲の虹輪視の最大認識寸法または最大知覚寸法を有効に減少させることができるものと、考えられる。
【０００９】
本発明の好適な一具体例によれば、本発明の眼用レンズは、さらに、近見領域よりも外方に位置する（好適には、近見領域に対し外接する）付加的近見領域（好適には、環状付加的近見領域）であって、基準屈折力よりも大きい視力矯正屈折力を有する付加的近見領域を備えることができる。この付加的近見領域は、好適には、この付加的近見領域への光通過によって引き起こされる虹輪視を、同様な付加的近見領域が当該領域全体にわたって一定の視力矯正屈折力を有するような実質的に同じレンズの同様な付加的近見領域への光通過によって引き起こされる虹輪視に比し、より拡散しうる（または虹輪視の認識寸法または知覚寸法を増加させうる）ような視力矯正屈折力を有することができる。
【００１０】
本発明の好適な一具体例によれば、付加的近見領域の径方向幅は、近見領域の径方向幅の約40％よりも小さい。付加的近見領域は、内側端部および外側端部を有し、かつ、内側端部から外側端部まで漸進的に増加するような視力矯正屈折力を有する。
【００１１】
本発明の眼用レンズによれば、好適には、近見領域への光通過に起因する虹輪視の寸法を減少させると共に、付加的近見領域への光通過に起因する虹輪視の寸法を増加させる。本発明によれば、近見領域と、好適な付加的近見領域との総体的な作用によって、効果的かつ有利にも、認識または知覚虹輪視視覚的症状および好適には「眩しさまたはフレア」視覚的症状（これらは、従来技術の多重焦点レンズ使用の間に見られる症状である。）を、減少させることができる。
【００１２】
好適には、本発明の眼用レンズは、眼内レンズ、コンタクトレンズおよび角膜インプラントレンズなどからなる群から選ばれる。
【００１３】
本発明の眼用レンズは、好適には、基準屈折力よりも大きい視力矯正屈折力を有する中央領域を備えることができる。この近見領域は、中央領域よりも外方に位置する（好適には、近見領域に対し外接する）ことができる。
【００１４】
本発明の別の好適な一具体例によれば、遠見視力矯正の基準屈折力を有する眼用レンズであって、中央部と、中間部と、外側部とを備える中央領域を含んでなる。中央部は、視力矯正屈折力、例えば、基準屈折力よりも大きいかまたは小さくなるような視力矯正屈折力を有するが、基準屈折力と実質的に等しい視力矯正屈折力を有することができる。中間部は、中央部よりも外方に位置し、中央領域の最大視力矯正屈折力に等しい視力矯正屈折力を有する。外側部は、中間部よりも外方に位置し、中央部の視力矯正屈折力と等しい視力矯正屈折力を有する。中央領域の最大視力矯正屈折力は、径方向距離に関して、中央部の視力矯正屈折力と等しい外側部の視力矯正屈折力よりも、中央部の視力矯正屈折力の方に、より接近している。
【００１５】
本発明によれば、以下の作用理論に限定されるものではないが、中央領域の最大視力矯正屈折力を、中央部の視力矯正屈折力の方に、より接近させることによって、光線密度の、レンズの中央軸または光軸に対する接近の程度を増加でき、これにより、近見画像品質を向上できるものと、考えられる。
【００１６】
好適には、中央領域の視力矯正屈折力は、漸進的に変化させることができる。中央領域の最大視力矯正屈折力は、中央部の視力矯正屈折力と、中央部の視力矯正屈折力と等しい外側部の視力矯正屈折力との間の径方向距離の約40％またはそれ以下（好適には、約35％またはそれ以下）に位置する。
【００１７】
本発明の好適な一具体例によれば、好適には、本発明の眼用レンズは、中央領域よりも外方に位置する第１外側領域であって、基準屈折力よりも小さい視力矯正屈折力を有する第１外側領域、および、第１外側領域よりも外方に位置する第２外側領域であって基準屈折力よりも大きい視力矯正屈折力を有する第２外側領域を含んでなる。好適には、中間部、外側部、第１外側領域および第２外側領域は、環状の形態であって、かつ、各々、中央部、中間部、外側部および第１外側領域に対し外接することができる。
【００１８】
好適には、第２外側領域は、この第２外側領域への光通過によって引き起こされる虹輪視の寸法を、同様な第２外側領域が当該領域全体にわたって一定の視力矯正屈折力を有するような実質的に同じレンズの同様な第２外側領域への光通過によって引き起こされる虹輪視に比し、減少しうるような視力矯正屈折力を有することができる。好適には、第２外側領域は、前記したような近見領域と同様な特性および内側部および外側部を有することができる。
【００１９】
好適には、本発明の眼用レンズは、第２外側領域よりも外方に位置する第３外側領域であって、基準屈折力よりも大きい視力矯正屈折力を有する第３外側領域を備えることができる。好適には、この第３外側領域は、この第３外側領域への光通過によって引き起こされる虹輪視を、同様な第３外側領域の径方向幅が好適には第２外側領域の径方向幅の約40％よりも小さい実質的に同じレンズの同様な第３外側領域への光通過によって引き起こされる虹輪視に比し、より拡散しうるような視力矯正屈折力を有することができる。好適には、第３外側領域は、内側端部および外側端部を有し、かつ、内側端部から外側端部まで漸進的に増加するような視力矯正屈折力を有することができる。
【００２０】
本発明の好適な一具体例によれば、本発明の眼用レンズは、さらに、第２外側領域よりも外方に位置しかつ第３外側領域よりも内方に位置する第４外側領域であって、基準屈折力よりも小さい視力矯正屈折力を有する第４外側領域を備えることができる。好適には、第４外側領域は、視力矯正屈折力を有する内側部と、内側部よりも外方に位置する中間部と、中間部よりも外方に位置する外側部とを備えることができる。中間部は、内側部の視力矯正屈折力よりも大きい視力矯正屈折力であって、中間領域の最大視力矯正屈折力に相当しかつ内側部の視力矯正屈折力に等しい最も外側の視力矯正屈折力に相当する視力矯正屈折力を有することができる。外側部は、第４外側領域の最小視力矯正屈折力と等しい視力矯正屈折力を有することができる。第４外側領域の最大視力矯正屈折力は、中間部の最も外側の視力矯正屈折力よりも、内側部の視力矯正屈折力の方に、より接近している（すなわち、径方向により接近している）。本発明によれば、この好適な第４外側領域形態によって、向上した遠見性能、特に薄明かりおよび／または夜間における向上した遠見性能を有する眼用レンズを達成することができる。
【００２１】
好適には、第１、第２および第３外側領域は、環状の形態を有し、第１外側領域は、中間領域に対し外接し、第２外側領域は、第１外側領域に対し外接し、第３外側領域は、第２外側領域に対し外接することができる。第４外側領域が存在する場合、この第４外側領域は、環状の形態を有し、第４外側領域は、第２外側領域に対し外接し、この第４外側領域に対し第３外側領域が外接することができる。
【００２２】
本発明によれば、異なる視力矯正屈折力を有する各領域間において存在するレンズ部分は、遷移部または遷移領域と、呼ぶことができる。この遷移部または遷移領域によって、視力矯正屈折力は、急激または段階機能的に変化することができる。好適には、しかしながら、遷移部または遷移領域によって、視力矯正屈折力のより逐次的または漸進的変化を達成することができる。
【００２３】
本発明によれば、所望のレンズ屈折力は、種々の方法で達成することができる。本発明の好適な一具体例によれば、レンズは、前面および後面を有し、この少なくとも一方の面は、所望の視力矯正屈折力が得られるような形状を有することができる。この構造を用いた場合、漸進的部分は、非球面形態であるが、一定の屈折力を有するレンズ部分は、球面形態とでき、所望により好適には、非球面形態とすることができる。好適な構造によれば、本発明の眼用レンズは、環状領域および中央領域全体が非球面形態であって、これにより、レンズの設計に際しある種の利点を得ることができ、またこの非球面形態を用いれば、レンズの遠見部分および近見部分に関し、球面収差を補うことができる。
【００２４】
コンタクトレンズについては、好適には、レンズ後面は、患者の眼曲率に適合するような形態を有し、レンズ前面は、所望の視力矯正屈折力が得られるような形態を有することができる。
【００２５】
以上、本発明の各特徴および各特徴の組み合わせは、本発明の作用上、相互に矛盾しない限り、本発明の技術的範囲に包含される。
【００２６】
次に、特に添付の図面を参照しながら、以下の詳細な記載および請求の範囲によって、前記した態様および他の態様を説明する。図面中、類似の部材は同じ参照番号を付した。
【００２７】
図面の簡単な説明
図1は、本発明の特徴を具体化した多重焦点眼内レンズを示す平面図
図2は、図1の眼内レンズの側面図
図3は、本発明の特徴を具体化した角膜コンタクトレンズを示す側面図、
図3Aは、図3の角膜コンタクトレンズの平面図
図4は、従来技術の多重焦点眼内レンズに関し、屈折力-光軸からの距離の関係を示すグラフ
図5は、図1に示した本発明の多重焦点眼内レンズに関し、屈折力-光軸からの距離の関係を示すグラフ
図6は、夜間において、図1に示した眼内レンズを用い、遠方の物体を見た場合の模式図
図7は、夜間において、図4に示した眼内レンズを用い、遠方の物体を見た場合の模式図
図8は、図3および図3Aに示した本発明のコンタクトレンズに関し、屈折力-光軸からの距離の関係を示すグラフ、および
図9は、本発明の別の眼内レンズに関し、屈折力-光軸からの距離の関係を示すグラフである。
【００２８】
（好適な具体例の説明）
図1および図2は、眼内レンズ11を示し、これは、環状光学素子13および固定部材15,17を含んでなる。光学素子13は、光学素子13は、硬質の生体適合性材料、例えばポリメチルメタクリレート（PMMA）であるかまたは、この光学素子13を丸めたり折り畳んで眼の小さい切れ目に通すことができるようなフレキシブルな変形性材料、例えばシリコーン、ヒドロゲルなどであってよい。
【００２９】
この具体例において、固定部材15,17は、細い毛髪状のストランドまたはフィラメントであり、これは、常法によって光学素子13に付設される。固定部材15,17は、好適なポリマー材料、例えばポリメチルメタクリレートまたはポリプロピレンである。これとは別の態様として、固定部材15,17は、光学素子13と一体成形することができる。光学素子13および固定部材15,17は、所望の数および形態を採用することができ、図示した形態は、単純化したものである。
【００３０】
光学素子13は、中央領域18、内側および外側環状近見領域20,22および環状遠見領域24,26を有する。この具体例では、中央領域18は円形であり、また環状領域20〜22の周辺部も円形である。環状領域19〜22は、中央領域18に対し、外接しており、また、光学素子13に関し同心状であって同軸である。
【００３１】
領域18〜26は、光学素子13の視力矯正屈折力を説明するために用いたものであり、これらは、所望により定義することができる。すなわち、領域18〜26の周辺部形態およびそれらの数は、所望により選択することができる。しかしながら、光学素子13の説明を容易にするため、環状領域19〜26の各周辺部は、図5における主軸ゼロ交点であると考える。領域18〜26の境界域は、図1の仮想線によって示されるが、光学素子13は、その表面においてこのような線は何ら有しておらず、またこれら仮想線は、各領域を規定する参考的な線を構成するものと、理解すべきである。
【００３２】
図2の具体例において、光学素子13は、凸状の前面28および平面状の後面30を有するが、これらの形態は、単なる例示である。視力矯正屈折力は、前面28または後面30のいずれかに有することができるが、この具体例では、前面28が所望の視力矯正屈折力が得られるような形態を有する。
【００３３】
図5は、光学素子13の視力矯正屈折力が中央部または光学素子13の光軸32から光軸13の円形外周部34まで変化する好適な方法を示す。角膜インレー（角膜インレーレンズ）用の好適な屈折力分布曲線は、図5の曲線と類似または同一である。図5において、縦軸またはＹ軸は、光学素子13の屈折力についての、基準屈折力または遠見視力矯正屈折力からの変化を示し、Ｘ軸または横軸は、光軸32から外方への距離、すなわち径方向距離（mm）を示す。したがって、図5のゼロジオプターまたは基準屈折力は、眼内レンズについて遠見視力に必要な屈折力である。図5に示した屈折力変化は、光軸32を通過する径方向平面のいずれにも適用することができる。すなわち、光軸32から所定の径方向距離において、屈折力は同じである。
【００３４】
中央領域18は、光軸32から円周部36まで延在し、内側環状遠見領域24は、円周部36から円周部38まで延在する。また内側環状近見領域20は、円周部38から円周部40まで延在する。また外側環状遠見領域26は、円周部40から円周部42まで延在する。また外側環状近見領域22は、円周部42から円周部44まで延在する。環状領域27は、円周部44から径方向外方に光学素子13の外周部34まで延在する。図5に示すように、視力矯正屈折力は、円周部36,38,40,42および44において主としてＸ軸または基準線に交差する。
【００３５】
図5に示すように、視力矯正屈折力は、光軸32における基準屈折力から頂点48まで漸進的および連続的に変化し、次いで頂点48から基準屈折力まで連続的および漸進的に減少して戻る。頂点48は、径方向距離に関し、周辺部36よりも光軸32に対し、より接近している。図示したように、頂点48は、光軸32と周辺部36との間の総径方向距離の約30％、光軸32から離れた位置に存在する。
【００３６】
次いで、視力矯正屈折力は、連続的および漸進的に、周辺部50において負の屈折力まで減少する。周辺部50の負の屈折力は、遠見視力に必要な屈折力よりも小さく、よって、遠見-遠見視力矯正屈折力であると、考えられる。周辺部50から、視力矯正屈折力は、連続的および漸進的に、周辺部38を通って増加し、内側環状近見領域20に入る。もちろん、図5の縦軸に示した屈折力は、単なる例示であって、実際になされる矯正は、患者に必要な処方に応じて変化させることができる。
【００３７】
内側環状近見領域20内において、視力矯正屈折力は、円周部33からプラトー状態54の内側端部52まで連続的および漸進的に変化する。次いで、プラトー状態54における視力矯正屈折力は、実質的に一定ではあるが、わずかな変化は、起こりうる。プラトー状態54は、外側端部56を有する。外側端部56において、視力矯正屈折力は、光学素子13の単位径方向距離当たりの屈折力変化が比較的急速に開始して、地点58まで漸進的および連続的に減少し、地点58は、プラトー状態54の平均屈折力の約60％と等しい屈折力を有する。プラトー状態54の径方向幅は、地点52と地点58との間における、径方向幅もしくは径方向距離または図5のＸ軸に沿ったの距離の約65％と等しい。視力矯正屈折力は、地点56と地点58との間の屈折力傾斜率に比し、より緩慢な傾斜率で、漸進的で連続的に、地点58から周辺部40（基準線）まで減少して、戻る。
【００３８】
図5に関して引き続き説明すると、視力矯正屈折力は、周辺部40から、連続的および漸進的に、遠見領域26の地点60まで減少する。地点60から、視力矯正屈折力は、連続的および漸進的に頂点62まで増加する。次いで、視力矯正屈折力は、地点64まで減少し、この地点64において、視力矯正屈折力は、地点60の屈折力と等しくなる。視力矯正屈折力は、続いて、連続的および漸進的に、地点66まで減少し、次いで連続的および漸進的に周辺部42まで増加する。遠見領域26において、頂点62は、地点64よりも地点60の方に、径方向に、より接近している。特に、地点62は、地点60と地点64との間の総径方向距離を基準に、地点60から約30％の径方向距離に位置する。
【００３９】
外側環状近見領域22において、視力矯正屈折力は、連続的および漸進的に、周辺部42からプラトー状態70の内側端部68まで増加する。プラトー状態70の視力矯正屈折力は、比較的狭い範囲に存在するが、この屈折力は、漸進的に、内側端部68からプラトー状態70の外側端部72まで増加する。外側端部72から、視力矯正屈折力は、連続的および漸進的に周辺部44まで減少する。視力矯正屈折力は、周辺部44から光学素子13の周辺部34まで、基準屈折力またはその付近の屈折力で、実質的に一定のままである。
【００４０】
外側近見領域22は、プラトー状態70を含み、ここでは、屈折力は、漸進的に増加する。この屈折力は、プラトー状態70において増加すると共に、外側近見領域22の比較的狭い範囲において存在し、この態様が、外側近見領域22への光通過によって引き起こされる虹輪視を拡散するのに有効であると、考えられる。
【００４１】
本発明を従来技術と比較しながら、本発明をさらに詳しく説明する。図4は、従来技術の多重焦点光学素子の視力矯正屈折力を、光学素子光軸から変化させる方法を示す。図4の従来技術光学素子の各領域は、図5の本発明光学素子13の各領域に相当するため、文字「A」を添えて同じ番号で示している。
【００４２】
図4に示すように、従来技術光学素子は、13Aであって、光学素子13と同様に、同じ基準屈折力を有する。中央領域18Aは、光軸32Aから円周部36Aまで延在する。内側環状遠見領域24Aは、円周部36Aから円周部38Aまで延在する。また内側環状近見領域20Aは、円周部38Aから円周部40Aまで延在する。また外側環状遠見領域26Aは、円周部40Aから円周部42Aまで延在する。また外側環状近見領域22Aは、円周部42Aから円周部44Aまで延在する。図4に示すように、視力矯正屈折力は、円周部36A,38A,40A,42Aおよび44Aにおいて主としてＸ軸または基準線に交差する。
【００４３】
本発明光学素子13の視力矯正屈折力と、従来技術光学素子13Aの視力矯正屈折力との相違に関し、まず中央領域18と18Aとの相違を説明する。中央領域18と18Aとの主要な相違は、頂点48と、頂点48Aとの位置に関するものである。特に、前記したように、頂点48は、周辺部36よりも中央軸32の方に、径方向上、より接近して位置している。これとは対照的に、頂点48Aの位置は、中央軸32Aよりも、周辺部36Aの方に、より接近している。この相違によって、本発明の光学素子13（および眼内レンズ11）は、従来技術光学素子13Aの性能に比し、近傍物体を見る際に向上した性能を達成できるものと、考えられる。
【００４４】
光学素子13と光学素子13Aとの別の重要な相違は、内側環状近見領域20と20Aとに関するものである。すなわち、光学素子13Aの内側環状近見領域20Aは、プラトー状態54Aを含み、これは、当該領域全体にわって、実質的に一定である。これとは対照的に、プラトー状態54は、比較的短く、かつ、領域20は、プラトー状態54外側端部56と周辺部20との間に、屈折力が連続的および漸進的に減少する領域を含んでいる。本発明の内側環状近見領域20に関し、この形態は、内側環状近見領域20Aとは対照的に、近見領域20への光通過によって引き起こされる虹輪視の認識寸法または知覚寸法を、近見領域20Aへの光通過によって引き起こされる虹輪視の認識寸法または知覚寸法よりも、小さくすることができる。
【００４５】
さらに光学素子13と13Aとの重要な相違は、外側遠見領域26と、26Aにおける視力矯正  屈折力の変化に関するものである。すなわち、領域26Aは、基準屈折力を基準に、視力矯正屈折力の変化がほんのわずかである。これとは対照的に、本発明の領域26の視力矯正屈折力は、前記したように、著しく減少した屈折力である。領域26の視力矯正屈折力は、薄明かりまたは夜間において遠方の物体を見る際に、領域26Aによって得られる性能に比し、増大した視力性能を達成することができる。
【００４６】
さらに、光学素子13と、13Aとの重要な相違は、外側環状近見領域22と、22Aとの相違に関するものである。具体的には、領域22は、領域22Aよりも、径方向に関し、著しくより狭くまたはより小さい。加えて、領域22Aは、比較的幅広のプラトー状態70Aを含み、かつ、このプラトー状態は、実質的に一定の屈折力を有している。これとは対照的に、領域22のプラトー状態70は、漸進的に増加する視力矯正屈折力を含んでいる。領域22の光学素子13は、領域22への光通過によって引き起こされる虹輪視を、光学素子13A領域22Aへの光通過によって引き起こされる虹輪視に比し、拡散またはより少なくすることができる。
【００４７】
光学素子13と、光学素子13Aとの以上の相違に関し、図6および図7を参照されたし。これらの図面は、各々、光学素子13Aおよび13を用い、夜間条件下に、遠方の物体を見た相違を模式的に図示している。
【００４８】
図6は、光学素子13Aを用い夜間において遠方の物体を見たものであるが、この図の中央の画像は、この中央画像から延在する虹輪視およびこの虹輪視を径方向に越えて延在して付加的でランダムに散乱する光を含んでいる。
【００４９】
図7は、光学素子13を用い夜間に遠方の物体を見たものであるが、この図の中央の画像は、図6に比し、高品質の画像である。加えて、図7の虹輪視は、実質的により小さくかつ減少した寸法で、中央画像から延在する。さらに、図7では、虹輪視から径方向外方に虹輪視を越えて散乱する光が、何ら存在しなことも、明白である。総体的に見て、光学素子13によって得られる画像（図7）は、光学素子13Aによって得られる画像（図6）よりも、優れている。
【００５０】
図3、図3Aおよび図8は、本発明の方法に従い製造したコンタクトレンズ111を示す。コンタクトレンズ111は、眼表面上に適用または装着しうるような寸法および形態を有することができる。光学的に言えば、コンタクトレンズ111は、本明細書に図示または記載していない全てに関し、図1、図2および図5の光学素子13と実質的に同じものとすることができる。眼内レンズ11に関する図中の各部分に対応する、コンタクトレンズ111に関する図中の各部分は、対応する番号に100を加えて、表示している。
【００５１】
光学的に言えば、コンタクトレンズ111は、中央領域118、環状近見領域120,122、環状遠見領域124,126および外側周辺領域127を有し、これらは、各々、眼内レンズ11の領域18〜27に対応する。一般に、コンタクトレンズ111に関し、その基準屈折力に対する視力矯正屈折力の大きさは、眼内レンズ11光学素子13の視力矯正屈折力の大きさに比し、より小さい。コンタクトレンズ111は、凸状の前面128および装着者眼の所望の形状に適合した凹状の形態を有する後面130を有することができる。もちろん、所望により後面130にも、視力矯正屈折力を付与することができる。
【００５２】
光学的に言えば、コンタクトレンズ111は、眼内レンズ11の光学素子13に非常に類似している。光学素子13とコンタクトレンズ111との主要な相違は、内側近見領域120の形態に関することである。
【００５３】
具体的には、図8に示すように、内側近見領域120は、内側端部152と、実質的に一定の視力矯正屈折力を有する内側部68とを有するプラトー状態154を含む。しかしながら、この内側部68から径方向外方に延在するプラトー状態154の部分70は、頂点72まで連続的および漸進的に増加する視力矯正屈折力を有する。次いで、視力矯正屈折力は、頂点72から径方向外方に、地点158まで、連続的および漸進的に減少する。その後、視力矯正屈折力は、基準屈折力まで連続的および漸進的に減少する。
【００５４】
地点158の視力矯正屈折力は、頂点72の視力矯正屈折力の約60％に相当する。加えて、頂点72は、地点152と地点158との総径方向距離の約70％の位置に、地点158から離れて存在する。以上の内側領域120の形態は、領域120への光通過によって引き起こされる虹輪視の寸法を、地点152から地点158までの距離全体を横断する実質的に一定の視力矯正屈折力を有する同様な近見領域への光通過によって引き起こされる虹輪視に比し、減少させることができる。
【００５５】
図9は、本発明に従い製造した、別の眼内レンズ211を示す。本明細書に明示したことを除き、眼内レンズ211は、眼内レンズ11と同様な構造を有する。眼内レンズ11の各部分に対応する、眼内レンズ211に関する図中の各部分は、対応する番号に200を加えて、表示している。
【００５６】
図9によれば、眼内レンズ11と眼内レンズ211との主要な相違は、外側遠見領域226の形態に関するものである。具体的には、外側遠見領域226は、円周部240から開始し、頂点88まで連続的および漸進的に減少し、この頂点88は、周辺部240と円周部242とからの径方向距離が実質的に等しい位置に存在する。頂点88から、視力矯正屈折力は、周辺部242まで連続的および漸進的に増加する。
【００５７】
外側遠見領域226は、薄明かりまたは夜間において遠方の物体を見る際に、レンズの性能特性を向上させるのに有効である。加えて、外側遠見領域226またはこの外側遠見領域226に類似する形態の外側遠見領域は、眼内レンズ11光学素子13またはコンタクトレンズ外側遠見領域、例えばコンタクトレンズ111の外側遠見領域126のいずれかに代えて、含めることができる。
【００５８】
本発明の多重焦点眼用レンズは、薄明かりまたは夜間の条件下に遠方の物体見る際、画像品質の改善が得られるなどの、著しい利点が得られる。本発明のレンズは、このレンズの外側近見領域への光通過によって引き起こされる結果、認識または知覚される虹輪視を、実質的に一定の視力矯正屈折力を有する外側近見領域を含むレンズに比し、より緩和することができる。さらに、性能が向上した本発明のレンズは、従来から採用されている常法によって、コスト効率的に製造することができる。したがって、本発明の眼用レンズは、著しい利点が得られ、著しい欠点は、ほどんどまたは全く有することがない。
【００５９】
以上、本発明の眼用レンズに関し、種々の具体例を説明したが、これら具体例によって、本発明は、制限されず、種々の変形例も、本発明の技術的範囲に包含されるものである。
【図面の簡単な説明】
【図１】  本発明の特徴を具体化した多重焦点眼内レンズを示す平面図
【図２】  図1の眼内レンズの側面図
【図３】  本発明の特徴を具体化した角膜コンタクトレンズを示す側面図、
【図３Ａ】  図3の角膜コンタクトレンズの平面図
【図４】  従来技術の多重焦点眼内レンズに関し、屈折力-光軸からの距離の関係を示すグラフ
【図５】  図1に示した本発明の多重焦点眼内レンズに関し、屈折力-光軸からの距離の関係を示すグラフ
【図６】  夜間において、図1に示した眼内レンズを用い、遠方の物体を見た場合の模式図
【図７】  夜間において、図4に示した眼内レンズを用い、遠方の物体を見た場合の模式図
【図８】  図3および図3Aに示した本発明のコンタクトレンズに関し、屈折力-光軸からの距離の関係を示すグラフ、および
【図９】  本発明の別の眼内レンズに関し、屈折力-光軸からの距離の関係を示すグラフ
【符号の説明】
11：眼内レンズ、13：眼用レンズ、20：近見領域、32：光軸、52：最も内側の端部、54：内側部、58：最も外側の端部
【図１】
0004652576.tif 000002
【図２】
0004652576.tif 000003
【図３】
0004652576.tif 000004
【図３Ａ】
0004652576.tif 000005
【図４】
0004652576.tif 000006
【図５】
0004652576.tif 000007
【図６】
0004652576.tif 000008
【図７】
0004652576.tif 000009
【図８】
0004652576.tif 000010
【図９】
0004652576.tif 000011